(57)【要約】【課題】家畜排泄物の臭いを抑制する家畜排泄物臭抑制剤、これを配合した肥料及び家畜排泄物臭を抑制する方法を提供するものである。【解決手段】卵殻粉を有効成分とする家畜排泄物臭抑制剤。【選択図】  なし【特許請求の範囲】
【請求項１】
卵殻粉を有効成分とする、
家畜排泄物臭抑制剤。
【請求項２】
請求項１記載の家畜排泄物臭抑制剤において、
ケイ酸塩鉱物及び／又はケイ酸塩ガラスを含有することを特徴とする、
家畜排泄物臭抑制剤。
【請求項３】
請求項２記載の家畜排泄物臭抑制剤において、
卵殻粉１部に対するケイ酸塩鉱物及び／又はケイ酸塩ガラスの割合が０．５部以上２部以下である、
家畜排泄物臭抑制剤。
【請求項４】
請求項１乃至３のいずれかに記載の家畜排泄物臭抑制剤と家畜排泄物を混合する、
肥料の製造方法。
【請求項５】
家畜排泄物に卵殻粉を添加することを特徴とする、
家畜排泄物臭を抑制する方法。
【請求項６】
請求項５記載の家畜排泄物臭を抑制する方法において、
家畜排泄物１部に対する卵殻粉の添加量が０．０３部以上である、
家畜排泄物臭を抑制する方法。
【請求項７】
家畜排泄物と卵殻粉とケイ酸塩鉱物及び／又はケイ酸塩ガラスを含有する、
肥料。
【請求項８】
家畜排泄物１部に対して卵殻粉を０．０３部含有する、
肥料。
【請求項９】
請求項８記載の肥料において、
ケイ酸塩鉱物及び／又はケイ酸塩ガラスを含有することを特徴とする、
肥料。
【発明の詳細な説明】
【技術分野】
【０００１】
本発明は、卵殻粉を有効成分とする家畜排泄物臭抑制剤、これを配合した肥料及び家畜排泄物臭を抑制する方法に関する。
【背景技術】
【０００２】
日本では、牛、豚、鶏などの家畜から年間約９千万トンという膨大な量の排泄物（糞尿など）が発生している。
家畜排泄物は、窒素やリン、カリウムなどの成分を豊富に含んでいるため、大部分は堆肥化又は液肥化された後、作物の肥料として有効に活用されている。
また、堆肥化過程で発生するメタンガスは発電に利用することもでき、家畜排泄物の堆肥又は液肥としての活用が望まれている。
【０００３】
しかし、家畜排泄物は強烈な臭いを有するため、適切に衛生管理されていない堆肥化施設においては、家畜排せつ物の臭いが周辺に拡散し、住民の生活環境を悪化させる問題があった。
また、家畜排泄物は、完全に堆肥化することで臭いが大幅に低減するが、堆肥化には時間とコストがかかるため、堆肥化が不十分な状態で販売されることがあり、土壌に撒いた際の臭いが問題となる場合があった。
【０００４】
このような問題を解決するため、発酵鶏糞に米糠を混合し、さらに発酵させることで鶏糞の臭いを抑制する方法が提案されている。
しかし、この場合、発酵場所の確保が必要なことや、発酵に時間がかかるといった問題がある。
【先行技術文献】
【特許文献】
【０００５】
【特許文献１】特開２００７−２６９６１８
【発明の概要】
【発明が解決しようとする課題】
【０００６】
そこで、本発明は、卵殻粉を有効成分とする家畜排泄物臭抑制剤、これを配合した肥料及び家畜排泄物臭を抑制する方法を提供することを目的とする。
【課題を解決するための手段】
【０００７】
本発明者等は、上記目的を達成すべく家畜排泄物の臭い抑制について鋭意研究を重ねた結果、卵殻粉を家畜排泄物に添加することで、家畜排泄物の臭いを抑制できることを見出し、本発明を完成するに至った。
【０００８】
すなわち、本発明は、
（１）卵殻粉を有効成分とする、
家畜排泄物臭抑制剤、
（２）（１）記載の家畜排泄物臭抑制剤において、
ケイ酸塩鉱物及び／又はケイ酸塩ガラスを含有することを特徴とする、
家畜排泄物臭抑制剤、
（３）（２）記載の家畜排泄物臭抑制剤において、
卵殻粉１部に対するケイ酸塩鉱物及び／又はケイ酸塩ガラスの割合が０．５部以上２部以下である、
家畜排泄物臭抑制剤、
（４）（１）乃至（３）のいずれかに記載の家畜排泄物臭抑制剤と家畜排泄物を混合する、
肥料の製造方法、
（５）家畜排泄物に卵殻粉を添加することを特徴とする、
家畜排泄物臭を抑制する方法、
（６）（５）記載の家畜排泄物臭を抑制する方法において、
家畜排泄物１部に対する卵殻粉の添加量が０．０３部以上である、
家畜排泄物臭を抑制する方法、
（７）家畜排泄物と卵殻粉とケイ酸塩鉱物及び／又はケイ酸塩ガラスを含有する、
肥料、
（８）家畜排泄物１部に対して卵殻粉を０．０３部含有する、
肥料
（９）（８）記載の肥料において、
ケイ酸塩鉱物及び／又はケイ酸塩ガラスを含有することを特徴とする、
肥料、
である。
【発明の効果】
【０００９】
本発明によれば、家畜排泄物の臭いを抑制できる家畜排泄物臭抑制剤、これを配合した肥料及び家畜排泄物臭を抑制する方法を提供できる。
これにより、家畜排泄物のさらなる利用促進や、周辺住民の生活環境の向上が期待できる。
【発明を実施するための形態】
【００１０】
以下、本発明を詳細に説明する。なお、本発明において「％」は「質量％」を、「部」は「質量部」を意味する。
【００１１】
＜家畜排泄物＞
本発明の家畜排泄物臭抑制剤を用いる家畜排泄物とは、家畜の排泄物であれば特に限定されないが、例えば、牛、豚、鶏、馬、羊などの家畜が排泄した糞尿そのものや、それらを堆肥化、液肥化、乾燥処理したものなどが挙げられる。
特に、肥料として広く活用されている牛、豚、鶏の糞又は堆肥であるとよく、中でも臭いが強い鶏の糞又は堆肥であるとよい。
【００１２】
＜家畜排泄物臭抑制剤＞
本発明の家畜排泄物臭抑制剤は、卵殻粉を有効成分として含有することを特徴とする。
本発明の家畜排泄物臭抑制剤を上述の家畜排泄物に添加することで、家畜排泄物の臭いを抑制することができる。
【００１３】
＜卵殻粉＞
前記家畜排泄物臭抑制剤に用いる卵殻粉は、鳥類の卵殻を粉砕し、粉末状にしたものであればいずれのものでもよい。
例えば、鶏の卵やウズラの卵があげられるが、容易に、また大量に入手できる観点から鶏卵の卵殻を用いるとよい。
また、本発明に用いる卵殻粉は、焼成又は未焼成の卵殻粉を用いることができる。
【００１４】
＜卵殻粉の粒子径＞
前記卵殻粉の粒子径（メジアン径、累積５０％径）は、３０μｍ以上１０ｍｍ以下であるとよく、さらに５０μｍ以上５ｍｍ以下であるとよい。
平均粒子径が前記範囲であることにより、卵殻粉が家畜排泄物に付着しやすく、且つ卵殻粉の多孔質構造が保持されているため、家畜排泄物の臭い成分を吸着しやすい。
【００１５】
＜卵殻粉の含水率＞
前記卵殻粉は、乾燥処理を施し、含水率を１０％以下、さらには３％以下にすることができる。
含水率を前記範囲にすることにより、家畜排泄物と混合又は家畜排泄物に散布しやすく、家畜排泄物の臭いを抑制しやすくなる。
【００１６】
＜家畜排泄物臭抑制剤中の卵殻粉の含有量＞
本発明の家畜排泄物臭抑制剤に含まれる卵殻粉の含有量は、家畜排泄物の臭いが抑制される程度であれば特に限定されず適宜設定することができるが、卵殻粉を３０％以上含有するとよく、さらに７０％以上含有するとよく、卵殻粉をそのまま用いてもよい。
卵殻粉の含有量が前記範囲であることより、家畜排泄物の臭いを抑制しやすくなる。
【００１７】
＜ケイ酸塩鉱物及び／又はケイ酸塩ガラス＞
本発明の家畜排泄物臭抑制剤には、卵殻粉と併用して、ケイ酸塩鉱物及び／又はケイ酸塩ガラスを用いることができる。
これにより、家畜排泄物の臭いをより抑制しやすくなる。
ここで、本発明で用いるケイ酸塩鉱物は、基本構造がケイ素原子を４個の酸素原子で囲まれた正四面体であり、この正四面体が様々に組み合わされた鉱物の総称である。
ケイ酸塩鉱物としては、例えば、長石、沸石、石英等のテクトケイ酸塩鉱物、雲母類や粘度鉱物等のフィロケイ塩鉱物等が挙げられる。
【００１８】
また、本発明で用いるケイ酸塩ガラスは、ガラス状態のケイ酸塩鉱物であり、例えば、ソーダ石灰ガラス、ほうケイ酸ガラス、アルミノケイ酸ガラス等が挙げられる。
なお、本発明で用いるケイ酸塩鉱物及び／又はケイ酸塩ガラスには、イオン結合によりアルミニウム、ナトリウム、カルシウム原子が存在したり、ケイ酸塩中のケイ素が一部アルミニウムに置き換わって存在している。
特に、安価で入手可能なソーダ石灰ガラスから成る廃ガラスが良い。
【００１９】
＜ケイ酸塩鉱物及び／又はケイ酸塩ガラスの平均粒子径＞
前記ケイ酸塩鉱物及び／又はケイ酸塩ガラスの平均粒子径は、３０μｍ以上１０ｍｍ以下であると良く、さらに５０μｍ以上５ｍｍ以下であると良い。
ケイ酸塩鉱物及び／又はケイ酸塩ガラスの平均粒子径が前記範囲であることにより、家畜排泄物と混合しやすく、家畜排泄物の臭いを抑制しやすい。
【００２０】
＜卵殻粉に対するケイ酸塩鉱物及び／又はケイ酸塩ガラスの割合＞
本発明の家畜排泄物臭抑制剤は、卵殻粉１部に対するケイ酸塩鉱物及び／又はケイ酸塩ガラスの含有質量比が０．５部以上２部以下であるとよく、さらに０．７部以上１．５部以下であるとよい。
ケイ酸塩鉱物及び／又はケイ酸塩ガラスの含有割合が前記範囲であることにより、家畜排泄物の臭いをより抑制しやすくなる。
【００２１】
＜家畜排泄物臭抑制剤に用いるその他原料＞
本発明の家畜排泄物臭抑制剤には、卵殻粉、ケイ酸塩鉱物及び／又はケイ酸塩ガラスの他に、本発明の効果を損なわない範囲で、他の原料を適宜選択し、配合することができる。
例えば、ゼオライト、セラミック、活性炭、牡蠣殻、貝殻、珊瑚、茶葉、イチョウ葉、コーヒー粕、もみ殻、ヤシ殻、エビ殻、カニ殻等などが挙げられ、これらそのものや、粉砕処理、抽出処理、加熱処理、乾燥処理等したものを用いることができる。
【００２２】
＜家畜排泄物臭抑制剤の添加量＞
家畜排泄物に対する家畜排泄物臭抑制剤の添加量は、特に限定していないが、家畜排泄物の臭いを低減しやすい点から、家畜排泄物１部に対して卵殻粉換算で０．０３部以上であるとよく、さらに０．０７部以上であるとよい。
上限量は特に限定しないが、作物の生育に適したカルシウム濃度の土壌が得られやすいことから、０．５部以下であるとよく、さらに０．３部以下であるとよい。
【００２３】
＜肥料＞
本発明の家畜排泄物臭抑制剤は、家畜排泄物と混合し、肥料として用いることができる。
また、本発明の肥料には、家畜排泄物臭抑制剤の他に、本発明の効果を損なわない範囲で、植物の栄養に供するチッ素、リン酸、カリウム、マグネシウムといった栄養素を含む動植物質の有機物や、無機肥料、油粕、糠、刈敷、草木灰などの植物性肥料、魚粕、干鰯、堆肥、骨粉、肉骨粉、厩肥などの動物性肥料、化学的に合成された化学肥料など、従来用いられている一般的な肥料等を併用することができる。
【００２４】
＜家畜排泄物臭の抑制方法＞
本発明の家畜排泄物臭抑制剤の有効成分である卵殻粉を用いて家畜排泄物臭を抑制する方法は特に限定されないが、例えば、堆肥化する前の家畜排泄物と卵殻粉を混合して抑制する方法、家畜排泄物を堆肥化した後に卵殻粉を混合して抑制する方法、堆肥化した家畜排泄物を撒いた土壌に、卵殻粉を散布することで抑制する方法などがある。
【００２５】
以下、本発明を実施例、比較例及び試験例に基づき、更に説明する。
【実施例】
【００２６】
［実施例１］
鶏糞８５％、家畜排泄物臭抑制剤（未焼成卵殻粉１００％）１５％を混合し、肥料を製した。
用いた未焼成卵殻粉の平均粒子径は２ｍｍであり、含水率は１％であった。
［試験例１］
鶏糞と家畜排泄物臭抑制剤を表１に示す割合にて混合した以外は、実施例１と同様の方法で、実施例２乃至４、比較例１の肥料を製した。
製した肥料に関して、下記評価基準で臭いの評価を行った。
【００２７】
＜臭いの評価基準＞
○  糞の臭いが抑制されている。
△  糞の臭いがやや抑制されている。
×  糞の臭いが抑制されていない。
【００２８】
表１
2015104692.tif 000002
【００２９】
表１より、鶏糞に卵殻粉を有効成分とする家畜排泄物臭抑制剤を添加することで、鶏糞の臭いが抑制されることが分かる。
特に、鶏糞１部に対し卵殻粉を０．０７部以上添加することによって、鶏糞の臭いがより抑制されることがわかる。
【００３０】
［実施例５］
鶏糞８０％、家畜排泄物臭抑制剤（未焼成卵殻粉５０％、ケイ酸塩ガラス５０％）２０％を混合した以外は実施例１と同様の方法で、実施例５の肥料を製した。
用いた未焼成卵殻粉の平均粒子径は２ｍｍであり、含水率は１％であった。
また、ケイ酸塩ガラスの平均粒子径は５０μｍであった。
卵殻粉１部に対するケイ酸塩ガラスの含有質量比は１部であった。
【００３１】
実施例５の肥料を試験例１の評価基準で臭いの評価を行った。
実施例５の肥料は、実施例１乃至４の肥料よりも鶏糞の臭いが抑制されていた。
【００３２】
実施例５の評価結果から、卵殻粉にケイ酸塩ガラスを併用することで、鶏糞の臭いがより抑制されることがわかる。